(57)【要約】  本発明に係る移動局ＵＥは、報知情報を受信するように構成されている受信部１１と、所定無線品質を測定するように構成されている測定部１２と、無線基地局ｅＮＢに対して、報知情報の受信結果及び測定部１２で測定された測定結果を含む「Ｍｅａｓｕｒｅｍｅｎｔ  Ｒｅｐｏｒｔ」を送信するように構成されている送信部１３とを具備する。
2013137424.tif 000002
【特許請求の範囲】
【請求項１】
報知情報を受信するように構成されている受信部と、
所定無線品質を測定するように構成されている測定部と、
無線基地局に対して、前記報知情報の受信結果及び前記測定部で測定された測定結果を含む測定報告を送信するように構成されている送信部とを具備することを特徴とする移動局。
【請求項２】
前記送信部は、前記報知情報の受信結果として、ＭＩＢ（Ｍａｓｔｅｒ  Ｉｎｆｏｒｍａｔｉｏｎ  Ｂｌｏｃｋ）の受信結果を前記測定報告に含めるように構成されていることを特徴とする請求項１に記載の移動局。
【請求項３】
前記送信部は、前記報知情報の受信結果として、ＳＩＢ（Ｓｙｓｔｅｍ  Ｉｎｆｏｒｍａｔｉｏｎ  Ｂｌｏｃｋ）の受信結果を前記測定報告に含めるように構成されていることを特徴とする請求項１に記載の移動局。
【請求項４】
前記送信部は、前記ＳＩＢを受信したＳＦＮ（Ｓｙｓｔｅｍ  Ｆｒａｍｅ  Ｎｕｍｂｅｒ）を前記測定報告に含めるように構成されていることを特徴とする請求項２に記載の移動局。
【請求項５】
前記送信部は、前記ＳＩＢの受信時刻を前記測定報告に含めるように構成されていることを特徴とする請求項２に記載の移動局。
【請求項６】
ＲＲＣレイヤ機能及びアプリケーションレイヤ機能を具備しており、
前記ＲＲＣレイヤ機能は、前記受信部と前記測定部と前記送信部とを具備しており、
前記アプレケーションレイヤ機能は、前記ＲＲＣレイヤ機能に対して、前記無線基地局に対して前記測定報告として報告すべき内容を指示するように構成されており、
前記送信部は、前記指示に応じて、前記無線基地局に対して前記測定報告を送信するように構成されていることを特徴とする請求項１乃至５のいずれか一項に記載の移動局。
【請求項７】
無線基地局であって、
ＳＩＢ（Ｓｙｓｔｅｍ  Ｉｎｆｏｒｍａｔｉｏｎ  Ｂｌｏｃｋ）を繰り返し送信するように構成されている送信部と、
移動局から、前記ＳＩＢの受信結果及び該ＳＩＢを受信したＳＦＮ（Ｓｙｓｔｅｍ  Ｆｒａｍｅ  Ｎｕｍｂｅｒ）を含む測定報告を受信するように構成されている受信部と、
前記無線基地局において前記ＳＩＢの送信を開始したＳＦＮ及び前記移動局において該ＳＩＢを受信したＳＦＮに基づいて、該移動局において何回目に送信された該ＳＩＢを受信したかについて算出するように構成されている算出部とを具備することを特徴とする無線基地局。
【請求項８】
無線基地局であって、
ＳＩＢ（Ｓｙｓｔｅｍ  Ｉｎｆｏｒｍａｔｉｏｎ  Ｂｌｏｃｋ）を繰り返し送信するように構成されている送信部と、
移動局から、前記ＳＩＢの受信結果及び該ＳＩＢの受信時刻を含む測定報告を受信するように構成されている受信部と、
前記無線基地局における前記ＳＩＢの送信開始時刻及び前記移動局における該ＳＩＢの受信時刻に基づいて、該移動局において何回目に送信された該ＳＩＢを受信したかについて算出するように構成されている算出部とを具備することを特徴とする無線基地局。
【発明の詳細な説明】
【技術分野】
【０００１】
本発明は、移動局及び無線基地局に関する。
【背景技術】
【０００２】
ＬＴＥ（Ｌｏｎｇ  Ｔｅｒｍ  Ｅｖｏｌｕｔｉｏｎ）方式では、移動局ＵＥから、実環境における所定無線品質の測定結果を収集することによって、通信事業者によって行われる走行試験（Ｄｒｉｖｅ  Ｔｅｓｔ）による手間やコストを削減する「ＭＤＴ（Ｍｉｎｉｍｉｓａｔｉｏｎ  ｏｆ  Ｄｒｉｖｅ  Ｔｅｓｔｓ、測定走行試験）」という手法が規定されている。【０００３】
かかるＭＤＴでは、無線基地局ｅＮＢは、移動局ＵＥから、所定無線品質の測定結果（ＲＳＲＰ：Ｒｅｆｅｒｅｎｃｅ  Ｓｉｇｎａｌ  Ｒｅｃｅｉｖｅｄ  Ｐｏｗｅｒ、ＲＳＲＱ：Ｒｅｆｅｒｅｎｃｅ  Ｓｉｇｎａｌ  Ｒｅｃｅｉｖｅｄ  Ｑｕａｌｉｔｙ）や移動局ＵＥの位置情報（Ｌｏｃａｔｉｏｎ  Ｉｎｆｏｒｍａｔｉｏｎ）を取得することができる。
【先行技術文献】
【非特許文献】
【０００４】
【非特許文献１】３ＧＰＰ  ＴＳ３７.３２０
【非特許文献２】３ＧＰＰ  ＴＳ３６.３３１
【発明の概要】
【発明が解決しようとする課題】
【０００５】
しかしながら、既存のＭＤＴでは、無線基地局ｅＮＢによって取得可能な情報が限られているという問題点があった。【０００６】
すなわち、既存のＭＤＴでは、無線基地局ｅＮＢは、移動局ＵＥにおける報知情報の受信結果について取得することができないという問題点があった。【０００７】
そこで、本発明は、上述の課題に鑑みてなされたものであり、ＭＤＴにおいて、移動局ＵＥにおける報知情報の受信結果について取得することを可能とする移動局及び無線基地局を提供することを目的とする。
【課題を解決するための手段】
【０００８】
本発明の第１の特徴は、移動局であって、報知情報を受信するように構成されている受信部と、所定無線品質を測定するように構成されている測定部と、無線基地局に対して、前記報知情報の受信結果及び前記測定部で測定された測定結果を含む測定報告を送信するように構成されている送信部とを具備することを要旨とする。【０００９】
本発明の第２の特徴は、無線基地局であって、ＳＩＢを繰り返し送信するように構成されている送信部と、移動局から、前記ＳＩＢの受信結果及び該ＳＩＢを受信したＳＦＮを含む測定報告を受信するように構成されている受信部と、前記無線基地局において前記ＳＩＢの送信を開始したＳＦＮ及び前記移動局において該ＳＩＢを受信したＳＦＮに基づいて、該移動局において何回目に送信された該ＳＩＢを受信したかについて算出するように構成されている算出部とを具備することを要旨とする。【００１０】
本発明の第３の特徴は、無線基地局であって、ＳＩＢを繰り返し送信するように構成されている送信部と、移動局から、前記ＳＩＢの受信結果及び該ＳＩＢの受信時刻を含む測定報告を受信するように構成されている受信部と、前記無線基地局における前記ＳＩＢの送信開始時刻及び前記移動局における該ＳＩＢの受信時刻に基づいて、該移動局において何回目に送信された該ＳＩＢを受信したかについて算出するように構成されている算出部とを具備することを要旨とする。
【発明の効果】
【００１１】
以上説明したように、本発明によれば、ＭＤＴにおいて、移動局ＵＥにおける報知情報の受信結果について取得することを可能とする移動局及び無線基地局を提供することができる。
【図面の簡単な説明】
【００１２】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る移動局における報知情報の受信方法を説明するための図である。
【図４】図４は、本発明の第１の実施形態に係る移動局における報知情報の受信方法を説明するための図である。
【図５】図５は、本発明の第１の実施形態に係る移動局における報知情報の受信方法を説明するための図である。
【図６】図６は、本発明の第１の実施形態に係る移動局における報知情報の受信方法を説明するための図である。
【図７】図７は、本発明の第１の実施形態に係る移動局によって送信される「ＵＥ  Ｉｎｆｏｒｍａｔｉｏｎ  Ｒｅｓｐｏｎｓｅ」のフォーマットの一例について示す図である。
【図８】図８は、本発明の第１の実施形態に係る無線基地局によって送信される「ＲＲＣ  Ｃｏｎｎｅｃｔｉｏｎ  Ｒｅｃｏｎｆｉｇｕｒａｔｉｏｎ」内の「ＲｅｐｏｒｔＣｏｎｆｉｇＥＵＴＲＡ」のフォーマットの一例について示す図である。
【図９】図９は、本発明の第１の実施形態に係る移動局によって送信される「ＭｅａｓＲｅｓｕｌｔｓ」のフォーマットの一例について示す図である。
【図１０】図１０は、本発明の第１の実施形態に係る無線基地局の機能ブロック図である。
【図１１】図１１は、本発明の第１の実施形態に係る無線基地局における算出方法について説明するための図である。
【図１２】図１２は、本発明の変更例１に係る移動局の機能ブロック図である。
【発明を実施するための形態】
【００１３】
（本発明の第１の実施形態に係る移動通信システム）
図１乃至図１１を参照して、本発明の第１の実施形態に係る移動通信システムについて説明する。
【００１４】
本実施形態に係る移動通信システムでは、ＬＴＥ方式において規定されているＭＤＴを実現することが可能である。
【００１５】
図１に示すように、本実施形態に係る移動通信システムでは、無線基地局ｅＮＢは、配下のセル＃１において、ＢＣＣＨ（Ｂｒｏａｄｃａｓｔ  Ｃｏｎｔｒｏｌ  Ｃｈａｎｎｅｌ）を介して、報知情報を送信するように構成されている。
【００１６】
図２に示すように、本実施形態に係る移動局ＵＥは、受信部１１と、測定部１２と、送信部１３とを具備している。
【００１７】
受信部１１は、無線基地局ｅＮＢによって送信される各種信号を受信するように構成されている。
【００１８】
例えば、受信部１１は、無線基地局ｅＮＢから、ＭＤＴ用の所定無線品質を測定するように指示する「Ｍｅａｓｕｒｅｍｅｎｔ  Ｃｏｎｆｉｇｕｒａｔｉｏｎ」を受信するように構成されていてもよい。
【００１９】
また、受信部１１は、無線基地局ｅＮＢによって送信された報知情報を受信するように構成されている。
【００２０】
例えば、受信部１１は、ＰＢＣＨ（Ｐｈｙｓｉｃａｌ  Ｂｒｏａｄｃａｓｔ  Ｃｈａｎｎｅｌ）及びＢＣＨ（Ｂｒｏａｄｃａｓｔ  Ｃｈａｎｎｅｌ）上で送信されるＢＣＣＨを介して、ＭＩＢ（Ｍａｓｔｅｒ  Ｉｎｆｏｒｍａｔｉｏｎ  Ｂｌｏｃｋ）を受信して記憶（Ｌｏｇ）しておくように構成されている。
【００２１】
ここで、図３に示すように、ＭＩＢは、４０ｍｓごとに繰り返し送信されるように構成されている。
【００２２】
また、ＭＩＢは、基本パラメータとして、例えば、システム帯域幅やＳＦＮ（Ｓｙｓｔｅｍ  Ｆｒａｍｅ  Ｎｕｍｂｅｒ：システムフレーム番号）や送信アンテナ数（移動局ＵＥによるＢｌｉｎｄ  Ｄｅｃｏｄｉｎｇで検出する）等を通知するように構成されている。
【００２３】
また、受信部１１は、複数のサブフレーム（４０ｍｓ以内）に渡って、ＭＩＢに対するソフト合成受信を行うことによって、移動局ＵＥが、セル端にいる場合であっても、時間ダイバーシチゲインにより、一定以上の受信品質を得ることができる。
【００２４】
なお、受信部１１は、各サブフレームにおけるＭＩＢを単独で受信するように構成されていてもよい。この結果、移動局ＵＥが、無線基地局ｅＮＢの近傍にいる場合には、受信部１１が、短時間で、ＭＩＢを受信することができる。
【００２５】
また、受信部１１は、ＰＤＳＣＨ（Ｐｈｙｓｉｃａｌ  Ｄｏｗｎｌｉｎｋ  Ｓｈａｒｅｄ  Ｃｈａｎｎｅｌ）上で送信されるＢＣＣＨを介して、ＳＩＢ（Ｓｙｓｔｅｍ  Ｉｎｆｏｒｍａｔｉｏｎ  Ｂｌｏｃｋ）１〜１２を受信して記憶（Ｌｏｇ）しておくように構成されている。
【００２６】
ここで、ＳＩＢ１は、セル選択（Ｃｅｌｌ  Ｓｅｌｅｃｔｉｏｎ）やスケジューリング情報等のパラメータを通知するように構成されている。
【００２７】
また、ＳＩＢ２は、該当セルに在圏するＵＥのための共通パラメータ、例えば、共通の無線パラメータや規制情報等を通知するように構成されている。
【００２８】
また、ＳＩＢ３〜８は、Ｉｎｔｒａ-ｆｒｅｑｕｅｎｃｙ/Ｉｎｔｅｒ-ｆｒｅｑｕｅｎｃｙ/Ｉｎｔｅｒ-ＲＡＴ  Ｃｅｌｌ  Ｒｅｓｅｌｅｃｔｉｏｎのためのパラメータを通知するように構成されている。
【００２９】
さらに、ＳＩＢ１０〜１２は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）やＣＭＡＳ（Ｃｏｍｍｅｒｃｉａｌ  Ｍｏｂｉｌｅ  Ａｌｅｒｔ  Ｓｙｓｔｅｍ）を受信するためのパラメータを通知するように構成されている。
【００３０】
図４に示すように、ＳＩＢ１は、８０ｍｓごとに繰り返し送信されるように構成されており、ＳＩ（Ｓｙｓｔｅｍ  Ｉｎｆｏｒｍａｔｉｏｎ）-１は、１６０ｍｓごとに繰り返し送信されるように構成されており、ＳＩ-２は、３２０ｍｓごとに繰り返し送信されるように構成されており、ＳＩ-３は、６４０ｍｓごとに繰り返し送信されるように構成されており、ＳＩ-４は、１２８０ｍｓごとに繰り返し送信されるように構成されている。
【００３１】
なお、ＳＩ-１〜ＳＩ-４は、ＳＩＢ２〜１２のいずれかにマッピングされるように構成されている。また、ＳＩＢ２〜１２は、設定可能な送信間隔（ＳＩ  ｗｉｎｄｏｗ）で、ＳＩ-１〜ＳＩ-４を送信するように構成されている。
【００３２】
ここで、受信部１１は、複数のサブフレーム（８０ｍｓ以内）に渡って、ＳＩＢ１に対するソフト合成受信を行うことによって、移動局ＵＥが、セル端にいる場合であっても、時間ダイバーシチゲインにより、一定以上の受信品質を得ることができる。
【００３３】
さらに、受信部１１は、図５及び図６に示すように、ページング信号（Ｐａｇｉｎｇ）を受信し、かかるページング信号に、報知情報（ＭＩＢ/ＳＩＢ）の変更を指示する指示情報やＥＴＷＳ/ＣＭＡＳを指示する「ＥＴＷＳ/ＣＭＡＳ  Ｉｎｄｉｃａｔｉｏｎ」が含まれている場合には、ＳＩＢ１を受信し、ＳＩＢ１内の「ＳｃｈｅｄｕｌｉｎｇＩｎｆｏＬｉｓｔ」に従って、ＳＩＢ１０〜１２を受信するように構成されている。
【００３４】
例えば、移動局ＵＥが、セル＃１において待ち受けを行っている場合、すなわち、Ｉｄｌｅ状態である場合、受信部１１は、ＭＩＢを受信した場合、ＳＩＢ１を受信し、かかるＳＩＢ１内の「ＳｃｈｅｄｕｌｉｎｇＩｎｆｏＬｉｓｔ」に従って、ＳＩＢ１０〜１２を受信するように構成されている。
【００３５】
また、例えば、移動局ＵＥが、セル＃１において待ち受けを行っている場合、すなわち、Ｉｄｌｅ状態である場合、受信部１１は、ページング信号を受信した後、ＳＩＢ１を受信し、かかるＳＩＢ１内の「ＳｃｈｅｄｕｌｉｎｇＩｎｆｏＬｉｓｔ」に従って、ＳＩＢ１０/１１を受信するように構成されている。
【００３６】
さらに、例えば、移動局ＵＥが、セル＃１において通信中である場合、すなわち、ＲＲＣ  Ｃｏｎｎｅｃｔｅｄ状態である場合、受信部１１は、ページング信号を受信した後、ＳＩＢ１を受信し、かかるＳＩＢ１内の「ＳｃｈｅｄｕｌｉｎｇＩｎｆｏＬｉｓｔ」に従って、ＳＩＢ１０/１１を受信するように構成されている。
【００３７】
測定部１２は、受信部１１によって受信された「Ｍｅａｓｕｒｅｍｅｎｔ  Ｃｏｎｆｉｇｕｒａｔｉｏｎ」に応じて、ＭＤＴ用の所定無線品質を測定するように構成されている。
【００３８】
また、測定部１２は、移動局ＵＥの位置情報である「Ｌｏｃａｔｉｏｎ  Ｉｎｆｏｒｍａｔｉｏｎ」を取得するように構成されていてもよい。
【００３９】
送信部１３は、無線基地局ｅＮＢに対して、かかるＭＤＴ用の所定無線品質の測定結果を含む「Ｍｅａｓｕｒｅｍｅｎｔ  Ｒｅｐｏｒｔ」を送信するように構成されている。
【００４０】
また、送信部１３は、「Ｍｅａｓｕｒｅｍｅｎｔ  Ｒｅｐｏｒｔ」に、測定部１２によって取得された「Ｌｏｃａｔｉｏｎ  Ｉｎｆｏｒｍａｔｉｏｎ」を含めるように構成されていてもよい。
【００４１】
ここで、送信部１３は、「Ｍｅａｓｕｒｅｍｅｎｔ  Ｒｅｐｏｒｔ」に、受信部１１によって記録されている報知情報の受信結果を含めるように構成されていてもよい。
【００４２】
例えば、送信部１３は、「Ｍｅａｓｕｒｅｍｅｎｔ  Ｒｅｐｏｒｔ」に、受信部１１によって記録されている報知情報の受信結果として、ＭＩＢの受信結果を含めるように構成されていてもよい。
【００４３】
或いは、送信部１３は、「Ｍｅａｓｕｒｅｍｅｎｔ  Ｒｅｐｏｒｔ」に、受信部１１によって記録されている報知情報の受信結果として、ＳＩＢ１の受信結果を含めるように構成されていてもよい。
【００４４】
或いは、送信部１３は、「Ｍｅａｓｕｒｅｍｅｎｔ  Ｒｅｐｏｒｔ」に、受信部１１によって記録されている報知情報の受信結果として、ＳＩＢ２〜１２の受信結果を含めるように構成されていてもよい。
【００４５】
或いは、送信部１３は、「Ｍｅａｓｕｒｅｍｅｎｔ  Ｒｅｐｏｒｔ」に、受信部１１によって記録されている報知情報の受信結果として、ページング信号の受信結果を含めるように構成されていてもよい。
【００４６】
さらに、送信部１３は、「Ｍｅａｓｕｒｅｍｅｎｔ  Ｒｅｐｏｒｔ」に、ＭＩＢを受信したＳＦＮ又はＭＩＢの受信時刻を含めるように構成されていてもよい。
【００４７】
また、送信部１３は、「Ｍｅａｓｕｒｅｍｅｎｔ  Ｒｅｐｏｒｔ」に、ＳＩＢ１〜１２を受信したＳＦＮ又はＳＩＢ１〜１２の受信時刻を含めるように構成されていてもよい。
【００４８】
例えば、「Ｌｏｇｇｅｄ  ＭＤＴ」を行うように指定されている場合には、受信部１１が、無線基地局ｅＮＢから「ＵＥ  Ｉｎｆｏｒｍａｔｉｏｎ  Ｒｅｑｕｅｓｔ」を受信すると、送信部１３は、図７に示すように、「ＵＥ  Ｉｎｆｏｒｍａｔｉｏｎ  Ｒｅｓｐｏｎｓｅ」内の「ＢＣＣＨＬｏｇｇｉｎｇＲｅｓｕｌｔ」や「ＰａｇｉｎｇＬｏｇｇｉｎｇＲｅｓｕｌｔ」によって、無線基地局ｅＮＢに対して、上述の報知情報の受信結果を送信するように構成されていてもよい。
【００４９】
また、図８に示すように、受信部１１によって受信された「ＲｅｐｏｒｔＣｏｎｆｉｇＥＵＴＲＡ」内の「ｉｎｃｌｕｄｅＢＣＣＨＬｏｇｇｉｎｇＲｅｐｏｒｔ-ｒ１１」や「ｉｎｃｌｕｄｅＰａｇｉｎｇＬｏｇｇｉｎｇＲｅｐｏｒｔ-ｒ１１」によって、「Ｉｍｍｅｄｉａｔｅ  ＭＤＴ」を行うように指定されている場合には、送信部１３は、図９に示すように、「ＭｅａｓＲｅｓｕｌｔ」内の「ＢＣＣＨＬｏｇｇｉｎｇＲｅｓｕｌｔ」や「ＰａｇｉｎｇＬｏｇｇｉｎｇＲｅｓｕｌｔ」によって、無線基地局ｅＮＢに対して、上述の報知情報の受信結果を送信するように構成されていてもよい。
【００５０】
図１０に示すように、本実施形態に係る無線基地局ｅＮＢは、送信部２１と、受信部２２と、算出部２３とを具備している。
【００５１】
送信部２１は、無線基地局ｅＮＢ配下のセル＃１において、上述の報知情報を送信するように構成されている。
【００５２】
また、送信部２１は、移動局ＵＥに対して、図８に示す「ＲｅｐｏｒｔＣｏｎｆｉｇＥＵＴＲＡ」を含む「Ｍｅａｓｕｒｅｍｅｎｔ  Ｃｏｎｆｉｇｕｒａｔｉｏｎ」を送信するように構成されている。
【００５３】
受信部２２は、移動局ＵＥによって送信される各種信号を受信するように構成されている。
【００５４】
例えば、受信部２２は、移動局ＵＥから、上述の報知情報の受信結果及び所定無線品質の測定結果等を含む「Ｍｅａｓｕｒｅｍｅｎｔ  Ｒｅｐｏｒｔ」を受信するように構成されていてもよい。
【００５５】
具体的には、受信部２２は、図７に示す「ＵＥ  Ｉｎｆｏｒｍａｔｉｏｎ  Ｒｅｓｐｏｎｓｅ」内の「ＢＣＣＨＬｏｇｇｉｎｇＲｅｓｕｌｔ」や「ＰａｇｉｎｇＬｏｇｇｉｎｇＲｅｓｕｌｔ」から、上述の報知情報の受信結果や報知情報を受信したＳＦＮ（又は、報知情報の受信時刻）を取得するように構成されていてもよい。
【００５６】
或いは、受信部２２は、図９に示す「ＭｅａｓＲｅｓｕｌｔ」内の「ＢＣＣＨＬｏｇｇｉｎｇＲｅｓｕｌｔ」や「ＰａｇｉｎｇＬｏｇｇｉｎｇＲｅｓｕｌｔ」から、上述の報知情報の受信結果や報知情報を受信したＳＦＮ（又は、報知情報の受信時刻）を取得するように構成されていてもよい。
【００５７】
ここで、受信部２２は、ＳＩＢ１の受信に成功したことを示す受信結果を取得した場合、ＳＩＢ２〜１２の受信結果を取得できない場合であっても、ＳＩＢ２〜１２の受信に成功したと見なすように構成されていてもよい。
【００５８】
算出部２３は、無線基地局ｅＮＢにおいてＭＩＢ/ＳＩＢの送信を開始したＳＦＮ及び移動局ＵＥにおいてＭＩＢ/ＳＩＢを受信したＳＦＮに基づいて、移動局ＵＥにおいて何回目に送信されたＳＩＢを受信したかについて算出するように構成されている。
【００５９】
或いは、無線基地局ｅＮＢにおけるＭＩＢ/ＳＩＢの送信開始時刻及び移動局ＵＥにおけるＭＩＢ/ＳＩＢの受信時刻に基づいて、移動局ＵＥにおいて何回目に送信されたＳＩＢを受信したかについて算出するように構成されている。
【００６０】
例えば、無線基地局ｅＮＢにおいてＳＩＢの送信を開始したＳＦＮ＃ｘと移動局ＵＥにおいてＳＩＢを受信したＳＦＮ＃ｙとの間で、「ＳＦＮ（０〜１０２３）のｗｒａｐ  ａｒｏｕｎｄ」が発生していない場合、すなわち、ＳＦＮ＃ｘ＜ＳＦＮ＃ｙである場合、図１１に示すように、算出部２３は、ＳＦＮ＃ｘ及びＳＦＮ＃ｙに基づいて、移動局ＵＥにおいて何回目に送信されたＳＩＢを受信したかについて算出するように構成されていてもよい。
【００６１】
一方、無線基地局ｅＮＢにおいてＳＩＢの送信を開始したＳＦＮ＃ｘと移動局ＵＥにおいてＳＩＢを受信したＳＦＮ＃ｙとの間で、「ＳＦＮ（０〜１０２３）のｗｒａｐ  ａｒｏｕｎｄ」が発生している場合、すなわち、ＳＦＮ＃ｘ＞ＳＦＮ＃ｙである場合、図１１に示すように、算出部２３は、無線基地局ｅＮＢにおけるＳＩＢの送信開始時刻ｎ及び動局ＵＥにおけるＳＩＢの受信時刻ｐに基づいて、移動局ＵＥにおいて何回目に送信されたＳＩＢを受信したかについて算出するように構成されていてもよい。
【００６２】
本実施形態に係る発明によれば、無線基地局ｅＮＢは、ＭＤＴの対象の移動局ＵＥから、報知情報の受信結果を取得することができるため、報知情報のカバレッジ状況を知ることができる。
【００６３】
また、本実施形態に係る発明によれば、移動局ＵＥが、ネットワーク側で意図する動作を行っていないことを検出することで、ネットワークにおけるパラメータの設定ミス等を検出することができる。
【００６４】
（変更例１）
以下、図１２を参照して、本発明の変更例１に係る移動通信システムについて、上述の第１の実施形態に係る移動通信システムとの相違点に着目して説明する。
【００６５】
図１２に示すように、本変更例１に係る移動局ＵＥは、ＲＲＣ（Ｒａｄｉｏ  Ｒｅｓｏｕｒｃｅ  Ｃｏｎｔｒｏｌ）レイヤ機能３１及びアプリケーションレイヤ機能３２を具備している。
【００６６】
ＲＲＣレイヤ機能３１は、例えば、ＬＴＥ方式のＲＲＣレイヤとして果たすべき役割を果たすように構成されており、アプリケーションレイヤ機能３２は、移動局ＵＥに搭載（インストール）されているアプリケーションを実行することができるように構成されている。
【００６７】
ここで、ＲＲＣレイヤ機能３１は、上述した図１に示す受信部１１と測定部１２と送信部１３とを具備している。
【００６８】
また、アプレケーションレイヤ機能３２は、ＲＲＣレイヤ機能３１に対して、無線基地局ｅＮＢに対して測定報告として報告すべき内容、例えば、上述の「ＢＣＣＨＬｏｇｇｉｎｇＲｅｓｕｌｔ」や「ＰａｇｉｎｇＬｏｇｇｉｎｇＲｅｓｕｌｔ」や「Ｌｏｃａｔｉｏｎ  Ｉｎｆｏｒｍａｔｉｏｎ」等を指示するように構成されている。
【００６９】
また、アプレケーションレイヤ機能３２は、ＲＲＣレイヤ機能３１に対して、取得すべき内容や測定すべき内容について指示するように構成されていてもよい。
【００７０】
例えば、ＲＲＣレイヤ機能３１は、アプレケーションレイヤ機能３２に対して、取得した内容や測定した内容を報告して、アプリケーション機能３２は、無線基地局ｅＮＢに対して測定報告として報告すべき内容を決定して、ＲＲＣレイヤ機能３１に対して指示するように構成されていてもよい。
【００７１】
なお、ＲＲＣレイヤ機能３１とアプレケーションレイヤ機能３２との間の通信は、ＡＰＩ（Ａｐｐｌｉｃａｔｉｏｎ  Ｉｎｔｅｒｆａｃｅ）を介して行われるように構成されていてもよい。
【００７２】
なお、送信部１３は、アプレケーションレイヤ機能３２からの指示に応じて、無線基地局ｅＮＢに対して測定報告を送信するように構成されている。
【００７３】
また、受信部１１は、アプレケーションレイヤ機能３２からの指示に応じて、無線基地局ｅＮＢから所定情報を取得するように構成されていてもよい。
【００７４】
或いは、測定部１２は、アプレケーションレイヤ機能３２からの指示に応じて、所定情報を測定するように構成されていてもよい。
【００７５】
以上に述べた本実施形態の特徴は、以下のように表現されていてもよい。
【００７６】
本実施形態の第１の特徴は、移動局ＵＥであって、報知情報を受信するように構成されている受信部１１と、所定無線品質を測定するように構成されている測定部１２と、無線基地局ｅＮＢに対して、報知情報の受信結果及び測定部１２で測定された測定結果を含む「Ｍｅａｓｕｒｅｍｅｎｔ  Ｒｅｐｏｒｔ（測定報告）」を送信するように構成されている送信部１３とを具備することを要旨とする。
【００７７】
本実施形態の第１の特徴において、送信部１３は、報知情報の受信結果として、ＭＩＢの受信結果を「Ｍｅａｓｕｒｅｍｅｎｔ  Ｒｅｐｏｒｔ」に含めるように構成されていてもよい。
【００７８】
本実施形態の第１の特徴において、送信部１３は、報知情報の受信結果として、ＳＩＢの受信結果を「Ｍｅａｓｕｒｅｍｅｎｔ  Ｒｅｐｏｒｔ」に含めるように構成されていてもよい。
【００７９】
本実施形態の第１の特徴において、送信部１３は、ＳＩＢを受信したＳＦＮを「Ｍｅａｓｕｒｅｍｅｎｔ  Ｒｅｐｏｒｔ」に含めるように構成されていてもよい。
【００８０】
本実施形態の第１の特徴において、送信部１３は、ＳＩＢの受信時刻を「Ｍｅａｓｕｒｅｍｅｎｔ  Ｒｅｐｏｒｔ」に含めるように構成されていてもよい。
【００８１】
本実施形態の第１の特徴において、ＲＲＣレイヤ機能３１及びアプリケーションレイヤ機能３２を具備しており、ＲＲＣレイヤ機能３１は、受信部１１と測定部１２と送信部１３とを具備しており、アプレケーションレイヤ機能３２は、ＲＲＣレイヤ機能３１に対して、無線基地局ｅＮＢに対して測定報告として報告すべき内容を指示するように構成されており、送信部１３は、かかる指示に応じて、無線基地局ｅＮＢに対して測定報告を送信するように構成されていてもよい。
【００８２】
本実施形態の第２の特徴は、無線基地局ｅＮＢであって、ＳＩＢを繰り返し送信するように構成されている送信部２１と、移動局ＵＥから、ＳＩＢの受信結果及びＳＩＢを受信したＳＦＮを含む「Ｍｅａｓｕｒｅｍｅｎｔ  Ｒｅｐｏｒｔ」を受信するように構成されている受信部２２と、無線基地局ｅＮＢにおいてＳＩＢの送信を開始したＳＦＮ及び移動局ＵＥにおいてＳＩＢを受信したＳＦＮに基づいて、移動局ＵＥにおいて何回目に送信されたＳＩＢを受信したかについて算出するように構成されている算出部２３とを具備することを要旨とする。
【００８３】
本実施形態の第３の特徴は、無線基地局ｅＮＢであって、ＳＩＢを繰り返し送信するように構成されている送信部２１と、移動局ＵＥから、ＳＩＢの受信結果及びＳＩＢの受信時刻を含む「Ｍｅａｓｕｒｅｍｅｎｔ  Ｒｅｐｏｒｔ」を受信するように構成されている受信部２２と、無線基地局ｅＮＢにおけるＳＩＢの送信開始時刻及び移動局ＵＥにおけるＳＩＢの受信時刻に基づいて、移動局ＵＥにおいて何回目に送信されたＳＩＢを受信したかについて算出するように構成されている算出部２３とを具備することを要旨とする。
【００８４】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８７】
以上、上述の実施形態を用いて本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2013137424.tif 000003
【図２】
2013137424.tif 000004
【図３】
2013137424.tif 000005
【図４】
2013137424.tif 000006
【図５】
2013137424.tif 000007
【図６】
2013137424.tif 000008
【図７】
2013137424.tif 000009
【図８】
2013137424.tif 000010
【図９】
2013137424.tif 000011
【図１０】
2013137424.tif 000012
【図１１】
2013137424.tif 000013
【図１２】
2013137424.tif 000014
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
報知情報を受信するように構成されている受信部と、
所定無線品質を測定するように構成されている測定部と、
無線基地局に対して、前記報知情報の受信結果及び前記測定部で測定された測定結果を含む測定報告を送信するように構成されている送信部とを具備することを特徴とする移動局。
【請求項２】
前記送信部は、前記報知情報の受信結果として、ＭＩＢ（Ｍａｓｔｅｒ  Ｉｎｆｏｒｍａｔｉｏｎ  Ｂｌｏｃｋ）の受信結果を前記測定報告に含めるように構成されていることを特徴とする請求項１に記載の移動局。
【請求項３】
前記送信部は、前記報知情報の受信結果として、ＳＩＢ（Ｓｙｓｔｅｍ  Ｉｎｆｏｒｍａｔｉｏｎ  Ｂｌｏｃｋ）の受信結果を前記測定報告に含めるように構成されていることを特徴とする請求項１に記載の移動局。
【請求項４】
前記送信部は、前記ＳＩＢを受信したＳＦＮ（Ｓｙｓｔｅｍ  Ｆｒａｍｅ  Ｎｕｍｂｅｒ）を前記測定報告に含めるように構成されていることを特徴とする請求項２に記載の移動局。
【請求項５】
前記送信部は、前記ＳＩＢの受信時刻を前記測定報告に含めるように構成されていることを特徴とする請求項２に記載の移動局。
【請求項６】
ＲＲＣレイヤ機能及びアプリケーションレイヤ機能を具備しており、
前記ＲＲＣレイヤ機能は、前記受信部と前記測定部と前記送信部とを具備しており、
前記アプリケーションレイヤ機能は、前記ＲＲＣレイヤ機能に対して、前記無線基地局に対して前記測定報告として報告すべき内容を指示するように構成されており、
前記送信部は、前記指示に応じて、前記無線基地局に対して前記測定報告を送信するように構成されていることを特徴とする請求項１乃至５のいずれか一項に記載の移動局。
【請求項７】
無線基地局であって、
ＳＩＢ（Ｓｙｓｔｅｍ  Ｉｎｆｏｒｍａｔｉｏｎ  Ｂｌｏｃｋ）を繰り返し送信するように構成されている送信部と、
移動局から、前記ＳＩＢの受信結果及び該ＳＩＢを受信したＳＦＮ（Ｓｙｓｔｅｍ  Ｆｒａｍｅ  Ｎｕｍｂｅｒ）を含む測定報告を受信するように構成されている受信部と、
前記無線基地局において前記ＳＩＢの送信を開始したＳＦＮ及び前記移動局において該ＳＩＢを受信したＳＦＮに基づいて、該移動局において何回目に送信された該ＳＩＢを受信したかについて算出するように構成されている算出部とを具備することを特徴とする無線基地局。
【請求項８】
無線基地局であって、
ＳＩＢ（Ｓｙｓｔｅｍ  Ｉｎｆｏｒｍａｔｉｏｎ  Ｂｌｏｃｋ）を繰り返し送信するように構成されている送信部と、
移動局から、前記ＳＩＢの受信結果及び該ＳＩＢの受信時刻を含む測定報告を受信するように構成されている受信部と、
前記無線基地局における前記ＳＩＢの送信開始時刻及び前記移動局における該ＳＩＢの受信時刻に基づいて、該移動局において何回目に送信された該ＳＩＢを受信したかについて算出するように構成されている算出部とを具備することを特徴とする無線基地局。
【手続補正２】
【補正対象書類名】明細書
【補正対象項目名】００６８
【補正方法】変更
【補正の内容】
【００６８】
また、アプリケーションレイヤ機能３２は、ＲＲＣレイヤ機能３１に対して、無線基地局ｅＮＢに対して測定報告として報告すべき内容、例えば、上述の「ＢＣＣＨＬｏｇｇｉｎｇＲｅｓｕｌｔ」や「ＰａｇｉｎｇＬｏｇｇｉｎｇＲｅｓｕｌｔ」や「Ｌｏｃａｔｉｏｎ  Ｉｎｆｏｒｍａｔｉｏｎ」等を指示するように構成されている。
【手続補正３】
【補正対象書類名】明細書
【補正対象項目名】００６９
【補正方法】変更
【補正の内容】
【００６９】
また、アプリケーションレイヤ機能３２は、ＲＲＣレイヤ機能３１に対して、取得すべき内容や測定すべき内容について指示するように構成されていてもよい。
【手続補正４】
【補正対象書類名】明細書
【補正対象項目名】００７０
【補正方法】変更
【補正の内容】
【００７０】
例えば、ＲＲＣレイヤ機能３１は、アプリケーションレイヤ機能３２に対して、取得した内容や測定した内容を報告して、アプリケーション機能３２は、無線基地局ｅＮＢに対して測定報告として報告すべき内容を決定して、ＲＲＣレイヤ機能３１に対して指示するように構成されていてもよい。
【手続補正５】
【補正対象書類名】明細書
【補正対象項目名】００７１
【補正方法】変更
【補正の内容】
【００７１】
なお、ＲＲＣレイヤ機能３１とアプリケーションレイヤ機能３２との間の通信は、ＡＰＩ（Ａｐｐｌｉｃａｔｉｏｎ  Ｉｎｔｅｒｆａｃｅ）を介して行われるように構成されていてもよい。
【手続補正６】
【補正対象書類名】明細書
【補正対象項目名】００７２
【補正方法】変更
【補正の内容】
【００７２】
なお、送信部１３は、アプリケーションレイヤ機能３２からの指示に応じて、無線基地局ｅＮＢに対して測定報告を送信するように構成されている。
【手続補正７】
【補正対象書類名】明細書
【補正対象項目名】００７３
【補正方法】変更
【補正の内容】
【００７３】
また、受信部１１は、アプリケーションレイヤ機能３２からの指示に応じて、無線基地局ｅＮＢから所定情報を取得するように構成されていてもよい。
【手続補正８】
【補正対象書類名】明細書
【補正対象項目名】００７４
【補正方法】変更
【補正の内容】
【００７４】
或いは、測定部１２は、アプリケーションレイヤ機能３２からの指示に応じて、所定情報を測定するように構成されていてもよい。
【手続補正９】
【補正対象書類名】明細書
【補正対象項目名】００８１
【補正方法】変更
【補正の内容】
【００８１】
本実施形態の第１の特徴において、ＲＲＣレイヤ機能３１及びアプリケーションレイヤ機能３２を具備しており、ＲＲＣレイヤ機能３１は、受信部１１と測定部１２と送信部１３とを具備しており、アプリケーションレイヤ機能３２は、ＲＲＣレイヤ機能３１に対して、無線基地局ｅＮＢに対して測定報告として報告すべき内容を指示するように構成されており、送信部１３は、かかる指示に応じて、無線基地局ｅＮＢに対して測定報告を送信するように構成されていてもよい。
【国際調査報告】
2013137424.tif 000015
2013137424.tif 000016